(57)【要約】【課題】固形潤滑剤による潤滑支援期間を長期化すること。【解決手段】ナット３の外面を断熱シート５で覆うようにした。そのため、ねじ軸２を回転させるモータの温度が上昇し、ナット２の温度が上昇しても、固形潤滑剤４の温度の上昇を防止でき、固形潤滑剤４中に含まれる潤滑成分の枯渇を防止し、固形潤滑剤４による潤滑支援期間を長期化することができる。【選択図】  図１
2007211897.tif 000002
【特許請求の範囲】
【請求項１】
ねじ軸の軸方向にナットを相対移動させるボールねじであって、
前記ナットの外面を覆い、その外面からの熱の出入りを遮断する断熱部材を備えたことを特徴とするボールねじ。
【請求項２】
ねじ軸の軸方向にナットを相対移動させるボールねじであって、
前記ナットに取り付けられた固形潤滑剤と、前記ナットおよび前記固形潤滑剤の間に配され、前記ナットおよび前記固形潤滑剤の間の熱の出入りを遮断する断熱部材と、を備えたことを特徴とするボールねじ。
【請求項３】
レールの軸方向にベアリングを相対移動させる直線案内装置であって、
前記ベアリングの外面を覆い、その外面からの熱の出入りを遮断する断熱部材を備えたことを特徴とする直線案内装置。
【請求項４】
レールの軸方向にベアリングを相対移動させる直線案内装置であって、
前記ベアリングに取り付けられた固形潤滑剤と、前記ベアリングおよび前記固形潤滑剤の間に配され、前記ベアリングおよび前記固形潤滑剤の間の熱の出入りを遮断する断熱部材と、を備えたことを特徴とする直線案内装置。
【発明の詳細な説明】
【技術分野】
【０００１】
本発明は、ねじ軸の軸方向にナットを相対移動させるボールねじ、およびリニアガイドやボールスプライン等の直線案内装置に関する。
【背景技術】
【０００２】
従来、この種のボールねじとしては、例えば、ねじ軸の軸端に配されたモータで当該ねじ軸を回転させ、ねじ軸の軸方向にナットを相対移動させるものがある。
このようなボールねじにあっては、例えば、ボールねじ軸の軸端にモータからの熱の出入りを遮断する断熱材を備えるものがある（例えば、特許文献１参照）。
また、例えば、ねじ軸の固有振動への対策として、ナット近傍に配したモータで当該ナットを回転させ、ねじ軸の軸方向にナットを相対移動させるものがある。
【特許文献１】特開平０８−２４３８７１号公報
【発明の開示】
【発明が解決しようとする課題】
【０００３】
しかしながら、上記従来のボールねじにあっては、モータの温度が上昇し、モータから発せられる熱がナットに伝わると、ナットの温度も上昇し、ナットの軸端に取り付けられて当該ナットの回転による摩擦を低減する固形潤滑剤の温度が上昇し、その結果、固形潤滑剤に含まれる潤滑成分が早期に枯渇してしまうことを本願発明者は発見した。
本発明は、上記従来の技術の未解決の課題を解決することを目的とするものであって、固形潤滑剤による潤滑支援期間を長期化可能なボールねじおよび直線案内装置を提供することを課題とする。
【課題を解決するための手段】
【０００４】
上記課題を解決するために、本発明のボールねじは、ねじ軸の軸方向にナットを相対移動させるボールねじであって、前記ナットの外面を覆い、その外面からの熱の出入りを遮断する断熱部材を備えたことを特徴とする。
このような構成によれば、例えば、ナットを相対移動させる駆動源の温度が上昇しても、ナットの温度の上昇を防止し、固形潤滑剤の温度の上昇を防止でき、その結果、固形潤滑剤中に含まれる潤滑成分の早期枯渇を防止し、固形潤滑剤による潤滑支援期間を長期化することができる。
【０００５】
また、本発明のボールねじは、ねじ軸の軸方向にナットを相対移動させるボールねじであって、前記ナットに取り付けられた固形潤滑剤と、前記ナットおよび前記固形潤滑剤の間に配され、前記ナットおよび前記固形潤滑剤の間の熱の出入りを遮断する断熱部材と、を備えたことを特徴とする。
このような構成によれば、例えば、ナットを相対移動させる駆動源の温度が上昇し、ナットの温度が上昇しても、固形潤滑剤の温度の上昇を防止することができ、その結果、固形潤滑剤中に含まれる潤滑成分の枯渇を防止し、固形潤滑剤による潤滑支援期間を長期化することができる。
【０００６】
一方、本発明の直線案内装置は、レールの軸方向にベアリングを相対移動させる直線案内装置であって、前記ベアリングの外面を覆い、その外面からの熱の出入りを遮断する断熱部材を備えたことを特徴とする。
このような構成によれば、例えば、ベアリングを相対移動させる駆動源の温度が上昇しても、ベアリングの温度の上昇を防止し、固形潤滑剤の温度の上昇を防止でき、その結果、固形潤滑剤中に含まれる潤滑成分の早期枯渇を防止し、固形潤滑剤による潤滑支援期間を長期化することができる。
【０００７】
また、本発明の直線案内装置は、レールの軸方向にベアリングを相対移動させる直線案内装置であって、前記ベアリング移動時に生じる摩擦を低減する固形潤滑剤と、前記ベアリングおよび前記固形潤滑剤の間に配され、それら前記ベアリングおよび前記固形潤滑剤の間の熱の出入りを遮断する断熱部材と、を備えたことを特徴とする。
このような構成によれば、例えば、ベアリングを相対移動させる駆動源の温度が上昇し、ベアリングの温度が上昇しても、固形潤滑剤の温度の上昇を防止することができ、その結果、固形潤滑剤中に含まれる潤滑成分の枯渇を防止し、固形潤滑剤による潤滑支援期間を長期化することができる。
【発明を実施するための最良の形態】
【０００８】
以下、本発明のボールねじの一実施形態を図面に基づいて詳細に説明する。
＜第１実施形態＞
図１は、本実施形態のボールねじを一部破断して示す構成図である。この図１に示すように、ボールねじ１は、ねじ軸２と、そのねじ軸２の外周面に形成されたボールねじ溝と対向するボールねじ溝を内周面に有するナット３とを備えており、ねじ軸２を軸芯回りに回転させると、ねじ軸２とナット３との間に組み込まれた多数のボールがねじ軸２とナット３のボールねじ溝間を転動し、ナット３がねじ軸２の軸方向に直線運動する。
また、ボールねじ１は、ナット３の両端面に固形潤滑剤４を備えており、ナット３のボールねじ溝に潤滑成分を供給してボールやボールねじ溝の摩耗を防止している。
【０００９】
さらに、ボールねじは、固形潤滑剤４とナット３との間にそれらの間の熱の出入りを遮断する断熱シート（例えば、セラミック繊維製シート）５を備えており、ナット３と固形潤滑剤４との接触を防止し、ナット３から固形潤滑剤４への熱伝導を防止している。
このように、本実施形態のボールねじ１にあっては、ナット３と固形潤滑剤４との間に断熱シート５を配したため、ねじ軸２を回転させるモータの温度が上昇し、ナット２の温度が上昇しても、固形潤滑剤４の温度の上昇を防止でき、固形潤滑剤４中に含まれる潤滑成分の枯渇を防止し、固形潤滑剤４による潤滑支援期間を長期化することができる。
【００１０】
＜第２実施形態＞
次に、本発明のボールねじの第２実施形態を説明する。
この第２実施形態は、図２に示すように、中空サーボモータ６にボールねじ１を組み込んで直動アクチュエータを構成するようにした点が、前記第１実施形態と異なる。
また、ボールねじ１は、ナット３の外面を覆い、その外面からの熱の出入りを遮断する断熱シート（セラミック繊維製の布をアルミ箔で覆ったシート等、熱反射性シート）７を備えており、熱源からの輻射熱を反射し、ナット３の温度の上昇を防止している。
【００１１】
このように、本実施形態のボールねじ１にあっては、ナット３の外面を断熱シート７で覆うようにしたため、中空サーボモータ６の温度が上昇しても、ナット３の温度の上昇を防止でき（固形潤滑剤４の温度の上昇を防止でき）、固形潤滑剤４中に含まれる潤滑成分の早期枯渇を防止し、固形潤滑剤４による潤滑支援期間を長期化することができる。
また、ナット３の温度の上昇を防止することで、ナット３の熱膨張を防止でき、その結果、ボールにかかる負荷を抑制し、ボールねじ１の作動性を向上することができる。
【００１２】
なお、ナット３の温度がねじ軸２の温度よりも上昇すると、ナット３のみが熱膨張し、ナット３のボールねじ溝のリード長がねじ軸２のボールねじ溝のリード長よりも長くなってしまい、ナット３内のボールに負荷がかかり、ボールねじ１の作動性が悪化する。
また、上記実施形態では、ねじ軸２の軸方向にナット３を相対移動させるボールねじ１に適用する例を示したが、これに限られるものではない。例えば、レールの軸方向にベアリングを相対移動させる直線案内装置（リニアガイド、ボールスプライン）に適用してもよい。具体的には、図３に示すように、そのような直線案内装置において、ベアリング８の外面を覆い、その外面からの熱の出入りを遮断する断熱部材９を備えてもよい。
【００１３】
さらに、図４に示すように、ベアリング８に取り付けられた固形潤滑剤１０と、その固形潤滑剤１０およびベアリング８の間に配され、それらベアリング８および固形潤滑剤１０の間の熱の出入りを遮断する断熱部材１１と、を備えるようにしてもよい。
また、本発明のリニアガイドおよび直線案内装置は、上記実施の形態の内容に限定されるものではなく、本発明の趣旨を逸脱しない範囲で適宜変更可能である。
【図面の簡単な説明】
【００１４】
【図１】本発明のボールねじの第１実施形態を示す構成図である。
【図２】本発明のボールねじの第２実施形態を示す構成図である。
【図３】本発明の変形例を説明するための説明図である。
【図４】本発明の変形例を説明するための説明図である。
【符号の説明】
【００１５】
１はボールねじ、２はねじ軸、３はナット、４は固形潤滑剤、５は断熱シート、６は中空サーボモータ、７は断熱シート
【図１】
2007211897.tif 000003
【図２】
2007211897.tif 000004
【図３】
2007211897.tif 000005
【図４】
2007211897.tif 000006